(57)【特許請求の範囲】
【請求項１】
表示装置に含まれるフレキシブル印刷回路基板であって、
ベースフィルムと、
前記ベースフィルムの両面に各々形成された第１及び第２信号配線層と、
前記第１及び第２信号配線層上に各々形成された曲げ領域を含む第１及び第２保護層と、を有し、
前記第１及び第２保護層の各々は、第１領域及び第２領域を含み、前記曲げ領域を全て覆って形成され、
前記第１及び第２保護層の各々の前記第２領域は、
前記第１領域より曲がった部位での復元力であるテンションが小さく、前記曲げ領域のみ赤外線インク（ＩＲ−Ｉｎｋ）で形成され、
前記第２保護層の第２領域は、前記第１保護層の第２領域より小さい大きさを有することを特徴とするフレキシブル印刷回路基板。
【請求項２】
前記赤外線インク（ＩＲ−Ｉｎｋ）は、不飽和ポリエステル、変性ポリエステル、アルキド、ポリエステル、尿素、ホルムアルデヒド、メラミンホルムアルデヒド、アミノ、エポキシ、及びポリエーテル樹脂を含む群から選択される少なくとも一つ以上の樹脂を含むことを特徴とする請求項１に記載のフレキシブル印刷回路基板。
【請求項３】
前記第１及び第２保護層の各々の前記第２領域は、前記第１領域の厚さより薄いか、又は同一である厚さを有することを特徴とする請求項１に記載のフレキシブル印刷回路基板。
【請求項４】
画像を表示する表示パネルと、
前記表示パネルに実装されて前記表示パネルに駆動信号を供給する駆動集積回路と、
前記表示パネルの一側に付着されて曲げられ、前記駆動集積回路に信号を供給するフレキシブル印刷回路基板と、を備え、
前記フレキシブル印刷回路基板は、ベースフィルム、該ベースフィルムの両面に形成された第１及び第２信号配線層、及び該第１及び第２信号配線層上に形成された曲げ領域を含む第１及び第２保護層を有し、
前記第１及び第２保護層の各々は、第１領域と、前記第１領域より曲がった部位での復元力であるテンションが小さい第２領域と、を含み、前記曲げ領域を全て覆って形成され、
前記第１及び第２保護層の各々の前記第２領域は、前記曲げ領域のみ赤外線インク（ＩＲ−Ｉｎｋ）で形成され、
前記第２保護層の第２領域は、前記第１保護層の第２領域より小さい大きさを有することを特徴とする表示装置。
【請求項５】
前記表示パネルに光を供給するための光源、及び光源駆動部を含むバックライトアセンブリと、
前記表示パネル及び前記バックライトアセンブリを受納するモールドフレームと、を更に備えることを特徴とする請求項４に記載の表示装置。
【請求項６】
前記フレキシブル印刷回路基板は、
前記表示パネルと接続され、前記表示パネル背面に曲げられた第１曲げ領域を含む接続部と、前記表示パネルに光を供給するための光源駆動部と、前記接続部及び光源駆動部から延長されて前記モールドフレームを囲み曲げられた第２曲げ領域を含む連結部と、前記連結部に接続されて前記光源駆動部に信号を供給する信号印加部と、を有することを特徴とする請求項５に記載の表示装置。
【請求項７】
前記赤外線インク（ＩＲ−Ｉｎｋ）は、不飽和ポリエステル、変性ポリエステル、アルキド、ポリエステル、尿素、ホルムアルデヒド、メラミンホルムアルデヒド、アミノ、エポキシ、及びポリエーテル樹脂を含む群から選択される少なくとも一つ以上の樹脂を含むことを特徴とする請求項４に記載の表示装置。
【請求項８】
前記第２領域は、前記第１領域の厚さより薄いか、又は同一である厚さを有することを特徴とする請求項４に記載の表示装置。
【発明の詳細な説明】
【技術分野】
【０００１】
本発明は、フレキシブル印刷回路基板及びこれを含む表示装置に関し、より詳細には、表示品質を向上させることができるフレキシブル印刷回路基板及びこれを含む表示装置に関する。
【背景技術】
【０００２】
情報化時代と共に多様な情報の迅速な伝達のために、映像、グラフィック、文字などの各種情報を表示する高性能のディスプレイに対する要求が急増している。このような要求に従って最近ディスプレイ産業は、急速な成長を見せている。
【０００３】
特に、液晶表示装置（ＬＣＤ）は、陰極線管（ＣＲＴ）に比べて消費電力が低く、軽量薄型化が可能であり、有害電磁波を放出しないこと等から、次世代の先端ディスプレイ素子としてここ数年大きく進歩し、電子時計、電子計算機、ＰＣ及びＴＶなどに幅広く使われている。
【０００４】
液晶表示装置は、電界を利用して誘電異方性を有する液晶の光透過率を調節することによって画像を表示するようになる。このために、液晶表示装置は、液晶セルマトリックスを通じて画像を表示する液晶パネルと、液晶パネルを駆動する駆動回路とを具備する。
【０００５】
このような液晶表示装置は、液晶パネル、パネル駆動部、バックライトアセンブリ、及び駆動信号を供給するフレキシブル印刷回路基板（Ｆｌｅｘｉｂｌｅ  Ｐｒｉｎｔｅｄ  Ｃｉｒｃｕｉｔ  Ｂｏａｒｄ：ＦＰＣＢ）を含む。フレキシブル印刷回路基板は、液晶パネル、及びバックライトアセンブリの光源基板の各々に駆動信号を供給する。液晶パネルに連結されるフレキシブル印刷回路基板は、液晶パネルに付着されてモールドフレームの一側面を囲みながら外部信号の供給を受けるためのコネクタなどに連結される。
【０００６】
この際、モールドフレームの一側面に沿って曲がるフレキシブル印刷回路基板は、曲がった部位での伸びようとする復原力によって、フレキシブル印刷回路基板が浮き上がって、光が漏れる現象による表示パネルの輝度減少などの表示品質が低下する問題がある。
【発明の概要】
【発明が解決しようとする課題】
【０００７】
そこで、本発明は、上記従来の問題点に鑑みてなされたものであって、本発明の目的は、フレキシブル印刷回路基板の曲がった部位での復原力を減少させるフレキシブル印刷回路基板及びこれを含む表示装置を提供することにある。
【課題を解決するための手段】
【０００８】
上記目的を達成するためになされた本発明の一特徴によるフレキシブル印刷回路基板は、ベースフィルムと、前記ベースフィルム上に形成された信号配線層と、前記信号配線層上に形成された曲げ領域を含む保護層と、を有し、前記保護層は、第１領域及び第２領域を含み、前記曲げ領域を全て覆って形成され、前記第２領域は、前記第１領域より曲がった部位での復元力であるテンションが小さく、前記曲げ領域のみに対応するよう赤外線インク（ＩＲ−Ｉｎｋ）で形成され、前記曲げ領域に少なくとも部分的に対応するように形成することができる。
前記赤外線インク（ＩＲ−Ｉｎｋ）は、不飽和ポリエステル、変性ポリエステル、アルキド、ポリエステル、尿素、ホルムアルデヒド、メラミンホルムアルデヒド、アミノ、エポキシ、及びポリエーテル樹脂を含む群から選択される少なくとも一つ以上の樹脂を含む。
前記第２領域の厚さは、前記第１領域の厚さより薄いか、又は同一に形成することができる。
【０００９】
上記目的を達成するためになされた本発明の他の特徴によるフレキシブル印刷回路基板は、ベースフィルムと、前記ベースフィルムの両面に各々形成された曲げ領域を含む第１及び第２信号配線層と、前記第１及び第２信号配線層上に各々形成された第１及び第２保護層と、を有し、前記第１及び第２保護層の各々は、第１領域及び第２領域を含み、前記曲げ領域を全て覆って形成され、前記第１及び第２保護層の各々の前記第２領域は、前記第１領域より曲がった部位での復元力であるテンションが小さく、前記曲げ領域のみに対応するよう赤外線インク（ＩＲ−Ｉｎｋ）形成され、前記曲げ領域に少なくとも部分的に対応するように形成することができる。
前記印刷回路基板において、前記第１及び第２保護層の第２領域は、略同一である大きさに形成することができる。
また、前記第２保護層の第２領域は、前記第１保護層の第２領域より小さく形成することができる。
前記赤外線インク（ＩＲ−Ｉｎｋ）は、不飽和ポリエステル、変性ポリエステル、アルキド、ポリエステル、尿素、ホルムアルデヒド、メラミンホルムアルデヒド、アミノ、エポキシ、及びポリエーテル樹脂を含む群から選択される少なくとも一つ以上の樹脂を含む。
前記第１及び第２保護層の各々の前記第２領域の厚さは、前記第１領域の厚さより薄いか、又は同一に形成することができる。
【００１０】
上記目的を達成するためになされた本発明の一特徴による表示装置は、画像を表示する表示パネルと、前記表示パネルに実装されて前記表示パネルに駆動信号を供給する駆動集積回路と、前記表示パネルの一側に付着され曲げられて装着され、前記駆動集積回路に信号を供給するフレキシブル印刷回路基板と、を備え、前記フレキシブル印刷回路基板は、ベースフィルム、該ベースフィルム上に形成された信号配線層、及び該信号配線層上に形成された曲げ領域を含む保護層を有し、前記保護層は、第１領域と、前記第１領域より曲がった部位での復元力であるテンションが小さい第２領域と、を含み、前記曲げ領域を全て覆って形成され、前記第２領域は、曲げ領域を含み、赤外線インク（ＩＲ−Ｉｎｋ）で形成される。
前記表示装置は、前記表示パネルに光を供給するための光源、及び光源駆動部を含むバックライトアセンブリと、前記表示パネル及び前記バックライトアセンブリを受納して固定するモールドフレームと、を更に備えることができる。
前記フレキシブル印刷回路基板は、前記表示パネルと接続され、前記表示パネル背面へ曲げられた第１曲げ領域を含む接続部と、前記表示パネルに光を供給するための光源駆動部と、前記接続部及び光源駆動部から延長されて前記モールドフレームを囲みながら曲げられた第２曲げ領域を含む連結部と、前記連結部に接続されて前記光源駆動部に信号を供給する信号印加部と、を有することができる。
前記赤外線インク（ＩＲ−Ｉｎｋ）は、不飽和ポリエステル、変性ポリエステル、アルキド、ポリエステル、尿素、ホルムアルデヒド、メラミンホルムアルデヒド、アミノ、エポキシ、及びポリエーテル樹脂を含む群から選択される少なくとも一つ以上の樹脂を含む。
前記第２領域の厚さは、前記第１領域の厚さより薄いか、又は同一であるように形成することができる。
【発明の効果】
【００１１】
本発明のフレキシブル印刷回路基板によれば、曲げられる領域の保護層を、小さいテンションを有するように形成することによって、復原力を減少させてフレキシブル印刷回路基板の浮き上がり不良を防止することができる。従って、フレキシブル印刷回路基板が浮き上がりによって発生し得る、表示装置の光が漏れる現象などを防止することができるため、表示装置の表示品質が向上する効果がある。
【図面の簡単な説明】
【００１２】
【図１】本発明の一実施形態による液晶表示装置を示す分解斜視図である。
【図２】図１に示したフレキシブル印刷回路基板を示す平面図である。
【図３】図１に示したフレキシブル印刷回路基板の他の実施形態を示す平面図である。
【図４】図１に示したフレキシブル印刷回路基板の他の実施形態を示す平面図である。
【図５】本発明の一実施形態によるフレキシブル印刷回路基板が液晶表示装置に締結された姿を示す斜視図である。
【図６】図２のＩ−Ｉ′線に沿って切断して示した第１実施形態による断面図である。
【図７】図２のＩ−Ｉ′線に沿って切断して示した第２実施形態による断面図である。
【図８】図２のＩ−Ｉ′線に沿って切断して示した第３実施形態による断面図である。
【発明を実施するための形態】
【００１３】
以下、本発明によるフレキシブル印刷回路基板及びこれを含む表示装置を実施するための形態を、図面を参照しながら詳細に説明する。図面では多数の層及び領域を明確に表現するために厚さを拡大して示した。
【００１４】
本発明の利点及び特徴、そしてそれを達成する方法は、図面と共に実施形態を参照すると明確になるが、本発明は、以下の実施形態に限定されることなく、異なる多様な形態で具現することができる。但し本実施形態は、本発明の開示が完全になるようにし、本発明が属する技術分野における通常の知識を有する者に発明の範囲を完全に知らせるために提供されるものである。そして明細書全体に亘って、同一な図面符号は同一な構成要素を示す。
【００１５】
素子又は層が、異なる素子又は層の“上”にあると称する場合は、異なる素子又は層の真上だけでなく中間に異なる層又は異なる素子を介在した場合を全て含む。反面、素子などが“真上”にあると称する場合は、中間に異なる素子又は層を介在しないことを示す。
【００１６】
空間的に相対的な用語である“下”、“下部”、“上”、“上部”などは、図面に示したように、一つの素子又は構成要素と異なる素子、又は構成要素との相関関係を容易に記述するために使われる。空間的に相対的な用語は、図面に示した方向を含み、使用時又は動作時の素子の互いに異なる方向を含む用語として理解すべきである。
【００１７】
図１は、本発明の一実施形態による液晶表示装置を示す分解斜視図であり、図２〜図４は、図１に示したフレキシブル印刷回路基板を示す平面図であり、図５は、本発明の一実施形態によるフレキシブル印刷回路基板が液晶表示装置に締結された姿を示す斜視図である。図２〜図４の曲げられるラインＢＬは、仮想の線としてフレキシブル印刷回路基板が液晶表示装置に締結された時に曲がる部分を示している。
【００１８】
図１を参照すると、本発明の一実施形態による液晶表示装置は、液晶表示パネル１０２、パネル駆動部、バックライトアセンブリ、モールドフレーム１６０、及びボトムシャーシ１５０を含む。
【００１９】
液晶表示パネル１０２は、光透過量を調節する液晶を間に置いて、互いに対向して合着された薄膜トランジスタ基板１０４、及びカラーフィルタ基板１０６を具備する。カラーフィルタ基板１０６は、光が漏れることの防止のためのブラックマトリックスと、カラー具現のためのカラーフィルタと、画素電極と垂直電界になる共通電極と、これらの上に液晶配向のために塗布された上部配向膜とを含む。
【００２０】
薄膜トランジスタ基板１０４は、互いに交差されるように形成されたゲートラインと、データラインと、これらの交差部に形成された薄膜トランジスタと、薄膜トランジスタと接続された画素電極と、これらの上に液晶配向のために塗布された下部配向膜とを含む。
【００２１】
薄膜トランジスタ基板１０４の一側面には、ゲートライン及びデータラインへの供給配線と連結された金属パッドに駆動集積回路１２０が実装される。
【００２２】
駆動集積回路１２０は、チップオングラス（Ｃｈｉｐ  Ｏｎ  Ｇｌａｓｓ：ＣＯＧ）方式で実装され、電源と画像信号、及び制御信号を印加して液晶表示パネル１０２のゲートライン、及びデータラインを駆動する駆動信号を発生する。
【００２３】
バックライトアセンブリは、光を供給する光源１７６と、光源１７６から供給された光を液晶表示パネル１０２にガイドする導光板１４０と、導光板１４０の下部に出射する光を液晶表示パネル１０２に反射させる反射シート１３８とを含む。また、液晶表示パネル１０２と導光板１４０の間に光効率を上げる光学シート１３０を更に具備する。
【００２４】
光源１７６は、光を供給するために少なくとも一つ以上の発光ダイオード（Ｌｉｇｈｔ  Ｅｍｉｔｔｉｎｇ  Ｄｉｏｄｅ：ＬＥＤ）を含むことができる。光源１７６は、フレキシブル印刷回路基板１７０に実装することができ、モールドフレーム１６０と導光板１４０の間に位置して導光板１４０に光を出射させる。
【００２５】
導光板１４０は、主にアクリル材質からなり、光源１７６から発光された光を液晶表示パネル１０２にガイドする。
【００２６】
反射シート１３８は、導光板１４０の下部に出射した光を導光板１４０に反射させる役割をする。このような反射シート１３８は、内部に反射、及び拡散可能な物質を含むので、反射シート１３８に伝達される光を反射、及び拡散させる機能を担うことができる。
【００２７】
光学シート１３０は、導光板１４０から出射された光を散乱させて拡散させる拡散シート１３２と、拡散シート１３２から出る光を屈折、及び集光させて輝度を上昇させるプリズムシート１３４と、プリズムシート１３４の表面を保護する保護シート１３６とを含む。本実施形態では、拡散シート１３２、プリズムシート１３４、及び保護シート１３６が各々一枚ずつ積層された構造の光学シート１３０を例に説明したが製品特性によって各シートは多数枚で使われることがある。
【００２８】
モールドフレーム１６０は、バックライトアセンブリ、及び液晶表示パネル１０２を受納する。このようなモールドフレーム１６０は、プラスチック材質などで形成される。
【００２９】
液晶表示パネル１０２の一側には、駆動集積回路１２０に電源と画像信号、及びタイミング信号を供給し、光源１７６に光源駆動信号を供給するためのフレキシブル印刷回路基板（Ｆｌｅｘｉｂｌｅ  Ｐｒｉｎｔｅｄ  Ｃｉｒｃｕｉｔ：ＦＰＣ）１７０が付着される。
【００３０】
図２は、図１に示したフレキシブル印刷回路基板を示す平面図であり、図３及び図４は、図１に示したフレキシブル印刷回路基板の異なる実施形態を示す平面図である。図２〜図４では、理解の便宜のために曲げられるラインが容易に区別されるように斜線で示した。
【００３１】
フレキシブル印刷回路基板１７０は、図２に示したように、接続部１７２、光源駆動部１７４、連結部１８０、及び信号印加部１８５を含む。フレキシブル印刷回路基板１７０は、接続部１７２を通じて液晶表示パネル１０２に接続される。光源駆動部１７４には、少なくとも一つ以上の発光ダイオードからなる光源１７６が実装される。信号印加部１８５は、外部から印加される電源、画像信号、タイミング信号、及び光源駆動信号を駆動集積回路１２０及び光源駆動部１７４に伝達する。連結部１８０は、信号印加部１８５及び光源駆動部１７４を連結する。このようなフレキシブル印刷回路基板１７０は、外面に保護層１８１を含む。保護層は、第１領域１８１ｂ、及び第１領域１８１ｂに比べてテンションが小さい第２領域１８１ａを含む。第２領域１８１ａは、液晶表示モジュールの組立時に曲げられるラインＢＬ、即ち、液晶表示モジュールの組立時に曲がる部分を含む。
【００３２】
このような第２領域１８１ａは、曲げられるラインＢＬを含むように形成され、図２に示したように第２領域１８１ａは、曲げられるラインＢＬとその周辺領域を含むように形成することができる。即ち、保護層１８１のうち、曲げられるラインＢＬ、及びその周辺領域は、保護層１８１の他の異なる部分に比べて小さいテンションを有するように形成される。しかし、第２領域１８１ａの構造がこれに限定されるものではなく、図３に示したように、第２領域１８２ａは、曲げられるラインＢＬのみに対応するように形成することができる。また、図４に示したように、第２領域１８３ａは、曲げられるラインＢＬに部分的に対応するように形成することができる。
【００３３】
従って、図５に示したように、本発明の一実施形態によるフレキシブル印刷回路基板１７０が液晶表示装置に締結される際、第２領域１８１ａは、モールドフレーム１６０の側面を囲みながら曲げられるので、この際に曲げられるラインＢＬのテンションが減少して浮き上がり不良を防止することができる。
【００３４】
信号印加部１８５に電源、画像信号、タイミング信号、及び光源駆動信号などの外部信号が印加されると、電源、画像信号、及びタイミング信号は、連結部１８０を通じて液晶表示パネル１０２を駆動するための駆動集積回路１２０に伝達され、光源駆動信号は、液晶表示パネル１０２に光を供給するための光源駆動部１７４に伝達される。
【００３５】
図６〜図８は、図２のＩ−Ｉ′線に沿って切断して示した第１〜第３実施形態による断面図である。図６〜図８では、理解の便宜のために曲げられるラインＢＬが容易に区別されるように斜線で示した。図６〜図８の曲げられるラインＢＬは、仮想の線としてフレキシブル印刷回路基板が液晶表示装置に締結された際に曲げられる部分を示すものである。
【００３６】
図６に示したように、本発明の第１実施形態による曲がりの領域のＩ−Ｉ′線に沿って切断した断面は、ベースフィルム１８４、信号配線層１８６、及び保護層１８１で構成される。
【００３７】
ベースフィルム１８４は、ポリイミド（Ｐｏｌｙｉｍｉｄｅ）などの高分子フィルムで形成することができる。信号配線層１８６は、銅のような金属材質の導電性物質で形成することができる。保護層１８１は、ベースフィルム１８４上に信号配線層１８６を覆うように形成することができる。このような保護層１８１は、信号配線層１８６の腐蝕を防止し、各信号配線間のショート現象を防止する。また、保護層１８１は、曲げられるラインＢＬ、及びその周辺での浮き上がり防止のために他の異なる領域に比べてテンションが小さい第２領域１８１ａを含む。従って、保護層１８１は、第１領域１８１ｂ及び第２領域１８１ａを含み、第２領域１８１ａは、第１領域１８１ｂに比べて小さいテンションを有する。
【００３８】
ここで、第２領域１８１ａの厚さは、第１領域１８１ｂの厚さより薄いか、或いは同一となるように形成することができる。この際、第１領域１８１ｂの厚さを薄くすることによって、フレキシブル印刷回路基板１７０を曲げるための曲げ力を減少させることができる。
【００３９】
第２領域１８１ａは、赤外線インク（ＩＲ−Ｉｎｋ）を塗布することによって形成することができる。赤外線インクは、赤外線を照射することにより乾燥が促進されるインクである。赤外線インクに赤外線を照射すると、インクのうちの樹脂成分が活性化して反応しやすい状態に変化し、架橋反応により硬化が進行して粘度が上昇する。ここで樹脂は、不飽和ポリエステル、変性ポリエステル、アルキド、及び変性アルキド樹脂のようなポリエステル、尿素、ホルムアルデヒド樹脂、メラミンホルムアルデヒド樹脂、アミノ樹脂、エポキシ樹脂、及びポリエーテル類等からなる群から選択される少なくとも一つ以上を含んでなることができる。架橋反応によってインクの溶剤は、溶解力を失い、粘度が上昇して硬化される。一方、インクに吸収された赤外線のエネルギーは、熱エネルギーに転換されて温度が上昇することによって酸化重合が促進される。上述した架橋反応、及び酸化重合によって、インクは非常に速く乾燥する。
【００４０】
赤外線インクは、柔軟性を有し、短時間のうちに薄く形成することができる特性があるので曲げ力の向上のための材料に適する。しかし、これに限定されるものではなく、赤外線インクを使用した場合と類似な効果を有することができる物質であれば、特別な制限なしに使うことができる。
【００４１】
上述のような過程を経て形成された第２領域１８１ａは、第１領域１８１ｂに比べてテンションが弱化される。このような第２領域１８１ａは、フレキシブル印刷回路基板の曲げられるラインＢＬを含むように形成されて、フレキシブル印刷回路基板１７０の曲げの際に、保護層１８１のテンションを減少させてフレキシブル印刷回路基板１７０の浮き上がり不良を防止することができる。
【００４２】
図７に示したように、本発明の第２実施形態による曲げ領域のＩ−Ｉ′線に沿って切断した断面は、ベースフィルム１８４を基準に第１、第２信号配線層１８６１、１８６２、及び第１、第２保護層１８１、１８１２が上部、及び下部に各々形成される。説明の便宜のため上記実施形態と同一である構成要素に対しては、同一である参照番号を使用し、その説明を省略、或いは簡略化する。
【００４３】
第１及び第２保護層１８１、１８１２の各々は、曲げられるラインＢＬの曲げ力の向上のための第２領域１８１ａ、１８１２ａを含む。本実施形態は、信号配線層１８６１、１８６２、及び保護層１８１、１８１２が各々２階構造に形成されることを除外した残りの構成要素、及び特徴は上述した実施形態と同一であるのでこれに対する詳細な説明は省略する。
【００４４】
図８に示したように、本発明の第３実施形態による曲げ領域のＩ−Ｉ′線に沿って切断した断面は、ベースフィルム１８４を基準に第１、第２信号配線層１８６１、１８６２、及び第１、第２保護層１８１１、１８１２が上部及び下部に各々形成される。説明の便宜のため、上記実施形態と同一である構成要素に対しては、同一である参照番号を使用し、その説明を省略、或いは簡略化する。
【００４５】
第１及び第２保護層１８１１、１８１２の各々は、曲げられるラインＢＬの曲げ力の向上のための第２領域１８１１ａ、１８１２ａを含むが、第２保護層１８１２の第２領域１８１２ａは、第１保護層１８１１の第２領域１８１１ａより小さく形成される。このように、第１及び第２保護層１８１１、１８１２の幅を別にすることによって曲げの程度を調節することができる。
【００４６】
本実施形態は、第２保護層１８１２の第２領域１８１２ａが第１保護層１８１１の第２領域１８１１ａより、より大きく形成されることを除外した残りの構成要素、及び特徴は、上述した実施形態と同一であるので、これに対する詳細な説明は省略する。
【００４７】
本発明は、液晶表示装置に含まれるフレキシブル印刷回路基板を例に説明したが、上述した実施形態のみに限定されるものではなく、フレキシブル印刷回路基板が使われる表示装置であれば、制限なく適用することができる。
【００４８】
以上、本発明を実施するための形態について説明したが、本発明は、上述の実施形態に限定されるものではなく、本発明の技術的範囲から逸脱しない範囲内で多様に変更実施することが可能である。
【符号の説明】
【００４９】
１０２    液晶表示パネル
１０４    薄膜トランジスタ基板
１０６    カラーフィルタ基板
１２０    駆動集積回路
１３０    光学シート
１３２    拡散シート
１３４    プリズムシート
１３６      保護シート
１３８    反射シート
１４０    導光板
１５０    ボトムシャーシ
１６０    モールドフレーム
１７０    フレキシブル印刷回路基板
１７２    接続部
１７４    光源駆動部
１７６    光源
１８０    連結部
１８１、１８１１、１８１２    保護層
１８１ａ、１８２ａ、１８３ａ、１８１１ａ、１８１２ａ    第２領域
１８１ｂ、１８１１ｂ、１８１２ｂ    第１領域
１８４    ベースフィルム
１８５    信号印加部
１８６、１８６１、１８６２    信号配線層
【図１】
0005713539.tif 000002
【図２】
0005713539.tif 000003
【図３】
0005713539.tif 000004
【図４】
0005713539.tif 000005
【図５】
0005713539.tif 000006
【図６】
0005713539.tif 000007
【図７】
0005713539.tif 000008
【図８】
0005713539.tif 000009